【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
データユニット内に制御フィールドが存在するかどうかを示す第１のインジケータを備える前記データユニットを受信することと、
前記制御フィールドが存在することを前記第１のインジケータが示す場合は、前記制御フィールドにおける第２のインジケータに少なくとも部分的に基づいて前記制御フィールドが第１のタイプの制御フィールドであるか又は第２のタイプの制御フィールドであるかを決定することと、
前記制御フィールドの前記タイプに基づいて前記制御フィールドを処理することと、を備える、無線通信方法。
【請求項２】
前記第２のインジケータは、前記制御フィールドの前記第１のビットである請求項１に記載の方法。
【請求項３】
前記第２のインジケータは、前記制御フィールドタイプが超高スループット（ＶＨＴ）であるか又は高スループット（ＨＴ）であるかを示す請求項１に記載の方法。
【請求項４】
前記第２のインジケータは、前記制御フィールドにおける予約されたビットである請求項１に記載の方法。
【請求項５】
前記第１のインジケータは、オーダービットである請求項１に記載の方法。
【請求項６】
前記オーダービットは、前記データユニット内のＭＡＣヘッダに含められる請求項５に記載の方法。
【請求項７】
前記オーダービットは、前記ＭＡＣヘッダのフレーム制御フィールド内に含められる請求項６に記載の方法。
【請求項８】
前記制御フィールドは、前記ＭＡＣヘッダ内においてＨＴ制御フィールドを備える請求項６に記載の方法。
【請求項９】
前記データユニットは、物理層プロトコルデータユニット（ＰＰＤＵ）を備える請求項１に記載の方法。
【請求項１０】
前記制御フィールドに基づいて変調コーディング方式（ＭＣＳ）を決定することをさらに備える請求項１に記載の方法。
【請求項１１】
ＭＣＳフィードバックを求める要求を送信することをさらに備え、前記データユニットは、前記要求に応答して受信される請求項１に記載の方法。
【請求項１２】
データユニット内に制御フィールドが存在するかどうかを示す第１のインジケータを備える前記データユニットを受信するように構成された受信機と、
前記制御フィールドが存在することを前記第１のインジケータが示す場合は、前記制御フィールドにおける第２のインジケータに少なくとも部分的に基づいて前記制御フィールドが第１のタイプの制御フィールドであるか又は第２のタイプの制御フィールドであるかを決定し、及び前記制御フィールドの前記タイプに基づいて前記制御フィールドを処理するように構成された処理システムと、を備える、無線通信のための装置。
【請求項１３】
前記第２のインジケータは、前記制御フィールドの前記第１のビットである請求項１２に記載の装置。
【請求項１４】
前記第２のインジケータは、前記制御フィールドタイプが超高スループット（ＶＨＴ）であるか又は高スループット（ＨＴ）であるかを示す請求項１２に記載の装置。
【請求項１５】
前記第２のインジケータは、前記制御フィールドにおける予約されたビットである請求項１２に記載の装置。
【請求項１６】
前記第１のインジケータは、オーダービットである請求項１２に記載の装置。
【請求項１７】
前記オーダービットは、前記データユニット内のＭＡＣヘッダに含められる請求項１６に記載の装置。
【請求項１８】
前記オーダービットは、前記ＭＡＣヘッダのフレーム制御フィールド内に含められる請求項１７に記載の装置。
【請求項１９】
前記制御フィールドは、前記ＭＡＣヘッダ内においてＨＴ制御フィールドを備える請求項１７に記載の装置。
【請求項２０】
前記データユニットは、物理層プロトコルデータユニット（ＰＰＤＵ）を備える請求項１２に記載の装置。
【請求項２１】
前記処理システムは、前記制御フィールドに基づいて変調コーディング方式（ＭＣＳ）を決定するようにさらに構成される請求項１２に記載の装置。
【請求項２２】
ＭＣＳフィードバックを求める要求を送信するように構成された送信機をさらに備え、前記データユニットは、前記要求に応答して受信される請求項１２に記載の装置。
【請求項２３】
データユニット内に制御フィールドが存在するかどうかを示す第１のインジケータを備える前記データユニットを受信するための手段と、
前記制御フィールドが存在することを前記第１のインジケータが示す場合は、前記制御フィールドにおける第２のインジケータに少なくとも部分的に基づいて前記制御フィールドが第１のタイプの制御フィールドであるか又は第２のタイプの制御フィールドであるかを決定するための手段と、
前記制御フィールドの前記タイプに基づいて前記制御フィールドを処理するための手段と、を備える、無線通信のための装置。
【請求項２４】
前記第２のインジケータは、前記制御フィールドの前記第１のビットである請求項２３に記載の装置。
【請求項２５】
前記第２のインジケータは、前記制御フィールドタイプが超高スループット（ＶＨＴ）であるか又は高スループット（ＨＴ）であるかを示す請求項２３に記載の装置。
【請求項２６】
前記第２のインジケータは、前記制御フィールドにおける予約されたビットである請求項２３に記載の装置。
【請求項２７】
前記第１のインジケータは、オーダービットである請求項２３に記載の装置。
【請求項２８】
前記オーダービットは、前記データユニット内のＭＡＣヘッダに含められる請求項２７に記載の装置。
【請求項２９】
前記オーダービットは、前記ＭＡＣヘッダのフレーム制御フィールド内に含められる請求項２８に記載の装置。
【請求項３０】
前記制御フィールドは、前記ＭＡＣヘッダ内においてＨＴ制御フィールドを備える請求項２８に記載の装置。
【請求項３１】
前記データユニットは、物理層プロトコルデータユニット（ＰＰＤＵ）を備える請求項２３に記載の装置。
【請求項３２】
前記制御フィールドに基づいて変調コーディング方式（ＭＣＳ）を決定するための手段をさらに備える請求項２３に記載の装置。
【請求項３３】
ＭＣＳフィードバックを求める要求を送信するための手段をさらに備え、前記データユニットは、前記要求に応答して受信される請求項２３に記載の装置。
【請求項３４】
実行されたときに、
データユニット内に制御フィールドが存在するかどうかを示す第１のインジケータを備える前記データユニットを受信し、
前記制御フィールドが存在することを前記第１のインジケータが示す場合は、前記制御フィールドにおける第２のインジケータに少なくとも部分的に基づいて前記制御フィールドが第１のタイプの制御フィールドであるか又は第２のタイプの制御フィールドであるかを決定し、及び
前記制御フィールドの前記タイプに基づいて前記制御フィールドを処理することを装置に行わせる命令を備える非一時的なコンピュータによって読み取り可能な媒体。
【請求項３５】
少なくとも１本のアンテナと、
データユニット内に制御フィールドが存在するかどうかを示す第１のインジケータを備える前記データユニットを、前記アンテナを介して、受信するように構成された受信機と、
前記制御フィールドが存在することを前記第１のインジケータが示す場合は、前記制御フィールドにおける第２のインジケータに少なくとも部分的に基づいて前記制御フィールドが第１のタイプの制御フィールドであるか又は第２のタイプの制御フィールドであるかを決定し、及び
前記制御フィールドの前記タイプに基づいて前記制御フィールドを処理するように構成された処理システムと、を備える、ユーザ端末。
【手続補正２】
【補正対象書類名】明細書
【補正対象項目名】００８９
【補正方法】変更
【補正の内容】
【００８９】
上記は、本開示の態様を対象とする一方で、本開示の基本的な適用範囲を逸脱することなしにそれのその他の及びさらなる態様を案出することができ、それらの適用範囲は、後続する請求項によって決定される。
以下に、本願出願の当初の特許請求の範囲に記載された発明を付記する。
［Ｃ１］  データユニット内に制御フィールドが存在するかどうかを示すインジケータを備える前記データユニットを受信することと、
前記制御フィールドが存在することを前記インジケータが示す場合は、前記データユニットのサブフィールドに少なくとも部分的に基づいて前記制御フィールドが第１のタイプを備えるか又は第２のタイプを備えるかを決定することと、
前記制御フィールドの前記タイプに基づいて前記制御フィールドを処理することと、を備える、無線通信方法。
［Ｃ２］  前記決定は、前記制御フィールドの前記第１のビットに基づくＣ１に記載の方法。
［Ｃ３］  前記サブフィールドは、前記制御フィールドタイプが超高スループット（ＶＨＴ）であるか又は高スループット（ＨＴ）であるかを示すＣ１に記載の方法。
［Ｃ４］  前記決定は、前記制御フィールドにおける予約されたビットに基づくＣ１に記載の方法。
［Ｃ５］  前記インジケータは、オーダービットであるＣ１に記載の方法。
［Ｃ６］  前記オーダービットは、前記データユニット内のＭＡＣヘッダに含められるＣ５に記載の方法。
［Ｃ７］  前記オーダービットは、前記ＭＡＣヘッダのフレーム制御フィールド内に含められるＣ６に記載の方法。
［Ｃ８］  前記制御フィールドは、前記ＭＡＣヘッダ内においてＨＴ制御フィールドを備えるＣ６に記載の方法。
［Ｃ９］  前記データユニットは、物理層プロトコルデータユニット（ＰＰＤＵ）を備えるＣ１に記載の方法。
［Ｃ１０］  前記制御フィールドに基づいて変調コーディング方式（ＭＣＳ）を決定することをさらに備えるＣ１に記載の方法。
［Ｃ１１］  ＭＣＳフィードバックを求める要求を送信することをさらに備え、前記データユニットは、前記要求に応答して受信されるＣ１に記載の方法。
［Ｃ１２］  データユニット内に制御フィールドが存在するかどうかを示すインジケータを備える前記データユニットを受信するように構成された受信機と、
前記制御フィールドが存在することを前記インジケータが示す場合は、前記データユニットのサブフィールドに少なくとも部分的に基づいて前記制御フィールドが第１のタイプを備えるか又は第２のタイプを備えるかを決定し、及び前記制御フィールドの前記タイプに基づいて前記制御フィールドを処理するように構成された処理システムと、を備える、無線通信のための装置。
［Ｃ１３］  前記決定は、前記制御フィールドの前記第１のビットに基づくＣ１２に記載の装置。
［Ｃ１４］  前記サブフィールドは、前記制御フィールドタイプが超高スループット（ＶＨＴ）であるか又は高スループット（ＨＴ）であるかを示すＣ１２に記載の装置。
［Ｃ１５］  前記決定は、前記制御フィールドにおける予約されたビットに基づくＣ１２に記載の装置。
［Ｃ１６］  前記インジケータは、オーダービットであるＣ１２に記載の装置。
［Ｃ１７］  前記オーダービットは、前記データユニット内のＭＡＣヘッダに含められるＣ１６に記載の装置。
［Ｃ１８］  前記オーダービットは、前記ＭＡＣヘッダのフレーム制御フィールド内に含められるＣ１７に記載の装置。
［Ｃ１９］  前記制御フィールドは、前記ＭＡＣヘッダ内においてＨＴ制御フィールドを備えるＣ１７に記載の装置。
［Ｃ２０］  前記データユニットは、物理層プロトコルデータユニット（ＰＰＤＵ）を備えるＣ１２に記載の装置。
［Ｃ２１］  前記処理システムは、前記制御フィールドに基づいて変調コーディング方式（ＭＣＳ）を決定するようにさらに構成されるＣ１２に記載の装置。
［Ｃ２２］  ＭＣＳフィードバックを求める要求を送信するように構成された送信機をさらに備え、前記データユニットは、前記要求に応答して受信されるＣ１２に記載の装置。
［Ｃ２３］  データユニット内に制御フィールドが存在するかどうかを示すインジケータを備える前記データユニットを受信するための手段と、
前記制御フィールドが存在することを前記インジケータが示す場合は、前記データユニットのサブフィールドに少なくとも部分的に基づいて前記制御フィールドが第１のタイプを備えるか又は第２のタイプを備えるかを決定するための手段と、
前記制御フィールドの前記タイプに基づいて前記制御フィールドを処理するための手段と、を備える、無線通信のための装置。
［Ｃ２４］  前記決定は、前記制御フィールドの前記第１のビットに基づくＣ２３に記載の装置。
［Ｃ２５］  前記サブフィールドは、前記制御フィールドタイプが超高スループット（ＶＨＴ）であるか又は高スループット（ＨＴ）であるかを示すＣ２３に記載の装置。
［Ｃ２６］  前記決定は、前記制御フィールドにおける予約されたビットに基づくＣ２３に記載の装置。
［Ｃ２７］  前記インジケータは、オーダービットであるＣ２３に記載の装置。
［Ｃ２８］  前記オーダービットは、前記データユニット内のＭＡＣヘッダに含められるＣ２７に記載の装置。
［Ｃ２９］  前記オーダービットは、前記ＭＡＣヘッダのフレーム制御フィールド内に含められるＣ２８に記載の装置。
［Ｃ３０］  前記制御フィールドは、前記ＭＡＣヘッダ内においてＨＴ制御フィールドを備えるＣ２８に記載の装置。
［Ｃ３１］  前記データユニットは、物理層プロトコルデータユニット（ＰＰＤＵ）を備えるＣ２３に記載の装置。
［Ｃ３２］  前記制御フィールドに基づいて変調コーディング方式（ＭＣＳ）を決定するための手段をさらに備えるＣ２３に記載の装置。
［Ｃ３３］  ＭＣＳフィードバックを求める要求を送信するための手段をさらに備え、前記データユニットは、前記要求に応答して受信されるＣ２３に記載の装置。
［Ｃ３４］  実行されたときに、
データユニット内に制御フィールドが存在するかどうかを示すインジケータを備える前記データユニットを受信し、
前記制御フィールドが存在することを前記インジケータが示す場合は、前記データユニットのサブフィールドに少なくとも部分的に基づいて前記制御フィールドが第１のタイプを備えるか又は第２のタイプを備えるかを決定し、及び
前記制御フィールドの前記タイプに基づいて前記制御フィールドを処理することを装置に行わせる命令を備えるコンピュータによって読み取り可能な媒体を備える無線で通信するためのコンピュータプログラム製品。
［Ｃ３５］  少なくとも１本のアンテナと、
データユニット内に制御フィールドが存在するかどうかを示すインジケータを備える前記データユニットを、前記アンテナを介して、受信するように構成された受信機と、
前記制御フィールドが存在することを前記インジケータが示す場合は、前記データユニットのサブフィールドに少なくとも部分的に基づいて前記制御フィールドが第１のタイプを備えるか又は第２のタイプを備えるかを決定し、及び
前記制御フィールドの前記タイプに基づいて前記制御フィールドを処理するように構成された処理システムと、を備える、ユーザ端末。